(57)【要約】【課題】自由滑走に伴って生じる運動エネルギを不規則な予期せぬ動きに変換し、安全性を確保した上でその動きを利用者に体感させる絶叫系の遊園地設備を提供する。【解決手段】遊園地設備１は、下りスロープ２と、２本のケーブル３の幅間隔が第１端から第２端３２に行くに従って広くなるように架設された２本のケーブル３と、それぞれの上端４１が各ケーブル３に摺動可能に結設された２本の懸吊ワイヤ４と、各懸吊ワイヤ４の下端が回転可能に左右のそれぞれから結設されたケージ５であって、下りスロープ２を滑走すること及び離脱することができるケージ５と、を備える。ケージ５が、下りスロープ２を滑走して離脱した後、懸吊ワイヤ４をもってケーブル３に懸吊された状態で滑空し、加わる外力に応じて揺動及び／又は回転する。【選択図】図１
2019025100.tif 000002
【特許請求の範囲】
【請求項１】
下りスロープと、
それぞれが、前記下りスロープの上流側に位置する第１端と下流側遠方に位置する第２端とを有する２本のケーブルであって前記２本のケーブルの幅間隔が前記第１端から前記第２端に行くに従って広くなるように架設された２本のケーブルと、
それぞれが上端と下端とを有する２本の懸吊ワイヤであって各懸吊ワイヤの上端が各ケーブルに摺動可能に結設された２本の懸吊ワイヤと、
各懸吊ワイヤの下端が回転可能に左右のそれぞれから結設されたケージであって、前記下りスロープを滑走すること及び離脱することができるケージと、を備え、
前記ケージが、前記下りスロープを滑走して離脱した後、前記懸吊ワイヤをもって前記ケーブルに懸吊された状態で滑空し、加わる外力に応じて揺動及び／又は回転することを特徴とする遊園地設備。
【請求項２】
前記ケージは、前記ケージの底面側に前記下りスロープを滑走するための車輪を有することを特徴とする請求項１に記載の遊園地設備。
【請求項３】
前記ケージは、前記ケージの左右両側に枢動可能に取り付けられ、前記ケージの回転には追従しないで枢動する回収フレームを有することを特徴とする請求項１又は２に記載の遊園地設備。
【請求項４】
さらに、前記回収フレームに連結された回収ワイヤと、
前記回収ワイヤを巻き取って停止後の前記ケージを回収する巻取り機と、を備えることを特徴とする請求項３に記載の遊園地設備。
【発明の詳細な説明】
【技術分野】
【０００１】
本発明は、遊園地設備、特に、ケーブルに吊設された遊園地設備に関する。
【背景技術】
【０００２】
従来、遊園地には様々な娯楽用の設備・遊具・アトラクションが提供されており、これらの設備には、例えば、コーヒーカップ、観覧車、メリーゴーランドといったファミリー系、お化け屋敷といったサスペンス系、ジェットコースター、フリーフォールといった絶叫系などがある。
【０００３】
これらの中で、絶叫系の設備については、例えば特許文献１は、人が乗るプラットホームの運動が構造的に簡単に達成される娯楽用乗り物として、プラットホームが互いに位置の異なる複数のレールに複数の保持要素によって枢着結合されている娯楽用乗り物システムを開示している。特許文献１では、保持要素は、それぞれのレール上を走行する走行台とプラットホームとの間で張り渡されており、走行台に設けられたウィンチにより長さを変更可能に構成される。これによって、プラットホームは、前後左右に位置を変更させながらレールに沿って走行する。
【０００４】
しかしながら、特許文献１の設備では、プラットホームは回転運動をすることはできず、また、プラットホームの不規則な予期せぬ動きを体感できないことから、より刺激的な絶叫系の設備を提供できないという問題があった。
【先行技術文献】
【特許文献】
【０００５】
【特許文献１】特開２０１３−６６７２２号公報
【発明の概要】
【発明が解決しようとする課題】
【０００６】
本発明は、上記の事情に鑑み、自由滑走に伴って生じる運動エネルギを不規則な予期せぬ動きに変換し、安全性を確保した上でその動きを利用者に体感させる絶叫系の遊園地設備を提供することを目的とする。
【課題を解決するための手段】
【０００７】
上記課題を解決するため、本発明は、以下のように把握される。
本発明に係る遊園地設備は、下りスロープと、それぞれが、前記下りスロープの上流側に位置する第１端と下流側遠方に位置する第２端とを有する２本のケーブルであって前記２本のケーブルの幅間隔が前記第１端から前記第２端に行くに従って広くなるように架設された２本のケーブルと、それぞれが上端と下端とを有する２本の懸吊ワイヤであって各懸吊ワイヤの上端が各ケーブルに摺動可能に結設された２本の懸吊ワイヤと、各懸吊ワイヤの下端が回転可能に左右のそれぞれから結設されたケージであって、前記下りスロープを滑走すること及び離脱することができるケージと、を備え、前記ケージが、前記下りスロープを滑走して離脱した後、前記懸吊ワイヤをもって前記ケーブルに懸吊された状態で滑空し、加わる外力に応じて揺動及び／又は回転することを特徴とする。
【０００８】
本発明に係る遊園地設備において、前記ケージは、前記ケージの底面側に前記下りスロープを滑走するための車輪を有することを特徴とする。
【０００９】
本発明に係る遊園地設備において、前記ケージは、前記ケージの左右両側に枢動可能に取り付けられ、前記ケージの回転には追従しないで枢動する回収フレームを有することを特徴とする。
【００１０】
本発明に係る遊園地設備は、さらに、前記回収フレームに連結された回収ワイヤと、
前記回収ワイヤを巻き取って停止後の前記ケージを回収する巻取り機と、を備えることを特徴とする。
【発明の効果】
【００１１】
本発明によれば、自由滑走に伴って生じる運動エネルギを不規則な予期せぬ動きに変換し、安全性を確保した上でその動きを利用者に体感させる絶叫系の遊園地設備を提供することができる。
【図面の簡単な説明】
【００１２】
【図１】本発明の実施形態に係る遊園地設備の全景を示す図である。
【図２】遊園地設備のケージの動きを段階的に説明する図である。
【図３】図２の位置Ｐ１において、遊園地設備のケージへの乗車を説明する図である。
【図４】図２の位置Ｐ３において、遊園地設備のケージの滑走運動を説明する図である。
【図５】図２の位置Ｐ５において、遊園地設備のケージの回転運動を説明する図である。
【図６】図２の位置Ｐ８において、遊園地設備のケージの回転運動を説明する図である。
【図７】図２の位置Ｐ８において、遊園地設備の下りスロープのスタート台から下流方向に見た図である。
【図８】遊園地設備のケージの回収を説明する図である。
【発明を実施するための形態】
【００１３】
以下、添付図面を参照して、本発明を実施するための形態（以下、実施形態という）について詳細に説明する。なお、実施形態の説明の全体を通して同じ要素には同じ番号を付している。
【００１４】
（遊園地設備）
図１を参照して、遊園地設備１の全体構成について、説明する。
図１に示すように、遊園地設備１は、下りスロープ２と、２本のケーブル３と、２本の懸吊ワイヤ４と、利用者Ｃ（図３参照）が乗車するケージ５と、を備えている。
【００１５】
（下りスロープ）
下りスロープ２は、スタート台２１と基台２２との間を滑り台状に傾斜して延在している。スタート台２１と基台２２とはいずれも水平に形成されている。下りスロープ２は、所定の角度をもって傾斜している。したがって、基台２２は、下りスロープ２に対して上に向いているので、いわゆる水平方向に飛び出させるジャンプ台を構成している。
なお、図３に示すように、スタート台２１は、係員Ａが利用者Ｃを載置されたケージ５に安全に案内し、係員Ａが利用者Ｃに安全装置（安全ベルト５４）の装着をすることができる広さ、及び、ケージ５がスタート台２１に載置された状態で、利用者Ｃがケージ５を乗降することができる広さを有する。
【００１６】
図１に示すように、下りスロープ２は、遊園地内の丘を利用して自然の傾斜に沿うように設けている例を示していが、これに限定されず、例えば、タワーなど人工的な構造物を建設して、その構造物によって傾斜を形成して、下りスロープ２を構築してもよい。
【００１７】
（ケーブル）
図２に示すように、２本のケーブル３は、下りスロープ２の上空において、スタート台２１に対応する第１端３１から基台２２よりも遠方に位置する第２端３２まで架設されている。すなわち、各ケーブル３は、下りスロープ２の上流側に位置する第１端３１と下流側遠方に位置する第２端３２とを有する。具体的には、第１端３１は、下りスロープ２のスタート台２１の後方に立設された支柱２３に固定され、第２端３２は、下りスロープ２とは反対側に立設された支柱（不図示）に固定されている。２本のケーブル３は、その幅間隔Ｗが第１端３１から第２端３２に行くに従って広くなるように架設されている。
また、２本のケーブル３の第２端３２は、第１端３１より低い位置にあるが、第１端３１から第２端３２への傾斜角度は、下りスロープ２の傾斜角度より緩いことが好ましい。このため、第１端３１から第２端３２に行くに従ってケーブル３は、下りスロープ２から上方に離れると共に、左右方向に広がる。
【００１８】
（懸吊ワイヤ）
２本の懸吊ワイヤ４のそれぞれは、上端４１と下端４２とを有する。各懸吊ワイヤ４の上端４１が各ケーブル３に摺動可能に結設されている。２本の懸吊ワイヤ４の下端４２がそれぞれケージ５の左右に回転可能に結設されている。懸吊ワイヤ４の上端４１は、公知の索道機構として構成することができるが、自由滑走を許容すると共に、緊急時に備えてブレーキ機構を備えるものが好ましい。懸吊ワイヤ４の長さは、ケージ５が下りスロープ２の表面を滑走する間は弛緩した状態となるように、また、２本の懸吊ワイヤ４の上端４１がケーブル３の第２端３２側に移動して、２本のケーブル３の幅間隔Ｗ（２本の懸吊ワイヤ４の上端４１の間）が広がっても、下りスロープ２を離脱したケージ５が、懸吊ワイヤ４によってケーブル３に懸吊された状態（ケージ５が他の障害物に接触しない状態）となるように、設定されている。
【００１９】
（ケージ）
図３に示すように、ケージ５は回収フレーム６を有しており、回収フレーム６には回収ワイヤ７が取り付けられている。回収ワイヤ７は巻取り機８（図１参照）によって巻き取られる。
ケージ５は、座席５１、左右の側板５２、保護フレーム５３、安全ベルト５４、及び車輪５５を有している。車輪５５は、ケージ５が勢いよく下りスロープ２を滑走するために、ケージ５の底面５６（図８参照）側に設けられている。保護フレーム５３は、１本の左右方向フレーム５３ａ、２本の前後方向フレーム５３ｂで構成されているとして説明するが、安全性に配慮した上で、任意のフレーム形状及び本数に設定してよい。なお、座席５１の数は、３つとして説明するが、安全性に配慮した上で任意の数に設定される。
【００２０】
ケージ５には、その左右両側を繋ぐように回収フレーム６が枢動可能に取り付けられている。具体的には、ケージ５の側板５２の中央にはハブ５２ａが設けられており、ハブ５２ａの中央に懸吊ワイヤ４の下端４２が回転可能に結設されている。また、ハブ５２ａの外周には回収フレーム６の端部６２が枢動可能に結設されている。回収フレーム６の中間部には、回収ワイヤ７を固定する取付部６１があり、取付部６１を介して回収ワイヤ７が取り付けられている。これによって、回収フレーム６は、ケージ５から見て後方すなわち下りスロープ２の側に常時位置して、ケージ５の回転運動には追従しないような構成を有する。
【００２１】
（遊園地設備の利用の説明）
以下、遊園地設備１の利用について説明する。
【００２２】
（ケージへの乗降）
ケージ５がスタート台２１に載置された状態（位置Ｐ１）で、利用者Ｃの乗降が行われる。
図３に示すように、係員Ａは、利用者Ｃを、載置されたケージ５に安全に案内し、利用者Ｃに安全装置（安全ベルト５４）を装着する。さらに、係員Ａは、係員Ａが補助しながらケージ５に利用者Ｃを乗車させている様子を示している。利用者Ｃは、座席５１に着席した後、安全ベルト５４を締める。安全ベルト５４は、ハードタイプの安全バーであってもよく、自動で開閉できるものであってもよい。
【００２３】
（ケージの動き）
次に、図２から図７を参照して、遊園地設備１のケージ５の動きと構造について、さらに詳しく説明する。
図２は、ケージ５の位置（位置Ｐ１〜Ｐ８）に応じたケージ５の動きを示し、開始から終了までの段階的なケージ５の動きを示している。
図２に示すように、ケージ５は、下りスロープ２を滑走し、離脱した後、懸吊ワイヤ４を介してケーブル３に懸吊された状態で滑空する（図１の運動Ｍ１）。ケージ５は、滑空中、ケージ５に加わる外力によって、上下方向に揺動したり（図１の運動Ｍ２）、前回り又は後回りに回転したりする（図１の運動Ｍ３）。
【００２４】
ケージ５が位置Ｐ１にあるとき、ケーブル３とケージ５を連結する懸吊ワイヤ４は、弛緩した状態となっている。また、ケージ５が載置されているスタート台２１は水平なので、利用者Ｃは係員Ａの誘導によってケージ５に安全に乗車することができるし、係員Ａは利用者Ｃに安全装置（安全ベルト５４）を確実に装着することができる。
【００２５】
利用者Ｃが安全に乗車した後、まず、巻取り機８は、回収ワイヤ７が自由に引っ張り出されるように、巻取り機８のギア（不図示）を開放する。これにより、ケージ５は、巻取り機８及び回収ワイヤ７に対して自由に動作することができる。
次に、例えば、スタート台２１を、公知の手段によって下りスロープ２と同じ角度となるように傾斜させる。これにより、ケージ５の自重と車輪５５の転がり抵抗が小さいことにより、ケージ５は、スタート台２１及び下りスロープ２の滑走を開始する（位置Ｐ２）。そして、車輪５５の転がり性と、ケージ５の自重とが相まって、ケージ５が下りスロープ２を滑走する速度を増していく（位置Ｐ３）。
図４は、位置Ｐ３において、ケージ５が下りスロープ２を滑走している様子を示す。このとき、車輪５５が下りスロープ２を滑走しているので、利用者Ｃは、下りスロープ２の下り方向を向いた状態となり、また、ケージ５がまるで落下するかのような体感を得る。
ケージ５が下りスロープ２を滑走すると、懸吊ワイヤ４の上端４１がケーブル３を第１端３１から第２端３２へ向けて摺動するので、２本の懸吊ワイヤ４の上端４１の間（幅間隔Ｗ）が広くなると共に、２本の懸吊ワイヤ４の上端４１が下りスロープ２から離れていき、懸吊ワイヤ４の弛緩は少しずつ小さくなる。
【００２６】
ケージ５は、下りスロープ２を滑走し終えると、懸吊ワイヤ４に懸吊された状態で基台２２を経由して空中に飛び出す（位置Ｐ４）。そして、懸吊ワイヤ４を介してケーブル３に懸吊されたケージ５は、下りスロープ２を自由滑走して生じた運動エネルギに基づいて、下りスロープ２を離脱した際の衝撃や、ケーブル３の撓み、幅間隔Ｗの広がりなどと相まって、揺動及び／又は回転することとなる。
具体的には、ケージ５は、下りスロープ２の滑走によって得た運動エネルギを空中に飛び出す際に放出すると共に、重力によって下方に落ち込む力、２本のケーブル３の幅間隔Ｗが順次広くなっていくことによって上方に持ち上げられようとする力、２本のケーブル３及び２本の懸吊ワイヤ４の撓みや揺れなどが混合され、不規則で予期しない、上下方向の揺動や前後方向の回転運動を起こす（位置Ｐ５〜Ｐ８）。
【００２７】
図５は、位置Ｐ５の状態を拡大して示している。ケージ５は、利用者Ｃの足元が前部上方に上がるように回転を起こしている。この際、回収フレーム６は、ケージ５の回転運動には追従せず、ケージ５の後方の位置を実質的に保っている。ケージ５の保護フレーム５３は、回収フレーム６の内側で回転する。
ケージ５は、さらに回転して、図６に示すように、完全に天地逆の状態となることがある。そして、この後、そのときの回転力の大きさに応じて、そのまま一回転する場合もあれば、足元の方向に戻るように回転する場合もある。
図７に示すように、例えば、ケージ５がちょうど天地逆となっており、利用者は、安全ベルト５４で保護された状態で万歳を叫んで絶叫している。
【００２８】
なお、懸吊ワイヤ４の上端４１がケーブル３を第１端３１から第２端３２へ向けて摺動するに従って２本の懸吊ワイヤ４の上端４１の間（幅間隔Ｗ）が広くなるので、ケージ５の左右は、左右に広がった２本の懸吊ワイヤ４に強く引っ張られることになり、さらに、回収フレーム６に取り付けられた回収ワイヤ７の張力によって、ケージ５は、上下、前後回転をするが、２本の懸吊ワイヤ４が交差するようなねじれ運動はしない。
【００２９】
（ケージの回収）
図８は、ケージ５の動きが終了した後に、ケージ５をスタート台２１に回収している状態を示している。
回収ワイヤ７は、スタート台２１の近傍に設けられている巻取り機８によって巻き取られ、ケージ５を下りスロープ２のスタート台２１まで回収する。巻取り機８においては、ケージ５がスタート台２１をスタートしてケーブル３の所定位置で停止するまで、巻取り機８のギア（不図示）は開放されており、ケージ５は、巻取り機８及び回収ワイヤ７に対して自由に動作することができる。そして、ケージ５がケーブル３の所定位置で停止した後、巻取り機８のギアが動力源に係合され、回収ワイヤ７を巻き取る。このように、回収ワイヤ７を巻取り機８で巻き取るだけで、ケージ５を容易に下りスロープ２のスタート台２１まで回収することができる。
【００３０】
以上、説明したように、ケージ５は、ケーブル３に懸吊された時（下りスロープ２からの離脱時）、大きく振動した時、又は勢いよく停止した時などに加わる外力に応じて揺動及び／又は回転する。ケージ５の停止にあたっては、安全が確保されることを前提として、例えば、２本の懸吊ワイヤ４の長さとケージ５の幅の合計長さが２本のケーブル３の幅間隔Ｗと同じになったときに停止するようにしてもよいし、２本のケーブル３に逆勾配を付けることにより進行を停止するようにしてもよい。いずれにしても、停止時の衝撃による揺動及び／又は回転は、ケージ５の利用者Ｃに刺激的な体感を与えることができる。なお、ケージ５は、最終的には、ケーブル３の一定の前後範囲を振り子状に動きながら次第に減衰していき、停止する。
【００３１】
ケージ５は、動作が停止すると、回収ワイヤ７によってスタート台２１に回収されるが、その際のスピードは比較的緩やかに設定されており、例えば１５０ｍ／ｍｉｎほどのゆっくりしたスピードで巻取り機８によって巻き取られる。
【００３２】
（本実施形態の効果）
本実施形態は、以上のような構成としたことから、自由滑走に伴って生じる運動エネルギを不規則な予期せぬ動きに変換し、安全性を確保した上でその動きを利用者Ｃに体感させる絶叫系の遊園地設備１を提供することができる。
【００３３】
以上、実施形態を用いて本発明を説明したが、本発明の技術的範囲は上記実施形態に記載の範囲に限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００３４】
１…遊園地設備
２…下りスロープ
２１…スタート台
２２…基台
２３…支柱
３…ケーブル
３１…第１端
３２…第２端
４…懸吊ワイヤ
４１…懸吊ワイヤの上端
４２…懸吊ワイヤの下端
５…ケージ
５１…座席
５２…側板
５２ａ…ハブ
５３…保護フレーム
５４…安全ベルト（安全バー）
５５…車輪
５６…底面
６…回収フレーム
６１…回収フレームの取付部
６２…回収フレームの端部
７…回収ワイヤ
８…巻取り機
Ｗ…幅間隔
【図１】
2019025100.tif 000003
【図２】
2019025100.tif 000004
【図３】
2019025100.tif 000005
【図４】
2019025100.tif 000006
【図５】
2019025100.tif 000007
【図６】
2019025100.tif 000008
【図７】
2019025100.tif 000009
【図８】
2019025100.tif 000010
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
下りスロープと、
それぞれが、前記下りスロープの上流側に位置する第１端と下流側遠方に位置する第２端とを有する２本のケーブルであって前記２本のケーブルの幅間隔が前記第１端から前記第２端に行くに従って広くなるように架設された２本のケーブルと、
それぞれが上端と下端とを有する２本の懸吊ワイヤであって各懸吊ワイヤの上端が各ケーブルに摺動可能に結設された２本の懸吊ワイヤと、
各懸吊ワイヤの下端が回転可能に左右のそれぞれから結設されたケージであって、前記下りスロープを滑走すること及び離脱することができるケージと、を備え、
前記ケージが、前記下りスロープを滑走して離脱した後、前記懸吊ワイヤをもって前記ケーブルに懸吊された状態で滑空し、加わる外力に応じて揺動及び回転することを特徴とする遊園地設備。
【請求項２】
前記ケージは、前記ケージの底面側に前記下りスロープを滑走するための車輪を有することを特徴とする請求項１に記載の遊園地設備。
【請求項３】
前記ケージは、前記ケージの左右両側に枢動可能に取り付けられ、前記ケージの回転には追従しないで枢動する回収フレームを有することを特徴とする請求項１又は２に記載の遊園地設備。
【請求項４】
さらに、前記回収フレームに連結された回収ワイヤと、
前記回収ワイヤを巻き取って停止後の前記ケージを回収する巻取り機と、を備えることを特徴とする請求項３に記載の遊園地設備。
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
下りスロープと、
それぞれが、前記下りスロープの上流側に位置する第１端と下流側遠方に位置する第２端とを有する２本のケーブルであって前記２本のケーブルの幅間隔が前記第１端から前記第２端に行くに従って広くなるように架設された２本のケーブルと、
それぞれが上端と下端とを有する２本の懸吊ワイヤであって各懸吊ワイヤの上端が各ケーブルに摺動可能に結設された２本の懸吊ワイヤと、
各懸吊ワイヤの下端が回転可能に左右のそれぞれから結設されたケージであって、前記下りスロープを滑走すること及び離脱することができるケージと、を備え、
前記ケージは、前記ケージの左右両側に枢動可能に取り付けられ、前記ケージの回転には追従しないで枢動する回収フレームを有し、
前記ケージが、前記下りスロープを滑走して離脱した後、前記懸吊ワイヤをもって前記ケーブルに懸吊された状態で滑空し、加わる外力に応じて揺動又は回転することを特徴とする遊園地設備。
【請求項２】
前記ケージは、前記ケージの底面側に前記下りスロープを滑走するための車輪を有することを特徴とする請求項１に記載の遊園地設備。
【請求項３】
さらに、前記回収フレームに連結された回収ワイヤと、
前記回収ワイヤを巻き取って停止後の前記ケージを回収する巻取り機と、を備えることを特徴とする請求項１又は２に記載の遊園地設備。